(57)【要約】【課題】複数本のケーブルを容易に識別可能に一束化することができるコイル状ハンガーおよびコイル状ハンガー製造方法を提供する。【解決手段】コイル状ハンガー１０は、支持物間に架設されたメッセンジャーワイヤ２０に敷設して複数本のケーブル（光ファイバケーブル、通信メタルケーブルおよび電力ケーブルなど）を一束化するために用いられる。コイル状ハンガー１０は、メッセンジャーワイヤ２０の架設方向に沿って見ると、コイル状ハンガー１０内の空間が、コイル状ハンガー１０内の空間を垂直方向および水平方向に直線的に横切るコイル状ハンガー１０の素線１によって第１および第２の領域Ａ1，Ａ2に分割されている。【選択図】図１
2008118836.tif 000002
【特許請求の範囲】
【請求項１】
支持物間に架設されたメッセンジャーワイヤ（２０）に敷設して複数本のケーブル（３１，３２；４１〜４４；５１1〜５１3）を一束化するために用いられるコイル状ハンガー（１０，６０，７０）であって、
前記メッセンジャーワイヤの架設方向に沿って見ると、前記コイル状ハンガー内の空間が、該コイル状ハンガー内の空間を直線的に横切る該コイル状ハンガーの素線（１）によって複数の領域（Ａ1〜Ａ4）に分割されていることを特徴とする、コイル状ハンガー。
【請求項２】
前記複数の領域の数が“２”または“４”であることを特徴とする、請求項１記載のコイル状ハンガー。
【請求項３】
前記素線が、前記コイル状ハンガー（１０）内の空間を規定する円と、前記メッセンジャーワイヤの架設方向に沿って見ると該円が垂直方向に２分割された右側半円および左側半円とを作るように、コイル状に巻かれており、
前記複数の領域が、
前記右側半円内の空間である第１の領域（Ａ1）と、
前記左側半円内の空間である第２の領域（Ａ2）とからなる、
ことを特徴とする、請求項１または２記載のコイル状ハンガー。
【請求項４】
前記素線が、前記メッセンジャーワイヤの架設方向に沿って見ると前記コイル状ハンガー（１０）が垂直方向に２分割された右側半円および左側半円を交互に作るように、コイル状に巻かれており、
前記複数の領域が、
前記右側半円内の空間である第１の領域（Ａ1）と、
前記左側半円内の空間である第２の領域（Ａ2）とからなる、
ことを特徴とする、請求項１または２記載のコイル状ハンガー。
【請求項５】
前記素線が、前記メッセンジャーワイヤの架設方向に沿って見ると前記コイル状ハンガー（６０）内の空間を垂直方向に２分割するとともに水平方向に２分割して第１乃至第４の１／４円（ｏｄｂ，ｏｂｃ，ｏｃａ，ｏａｄ）を作るように、コイル状に巻かれており、
前記複数の領域が、
前記第１の１／４円内の空間である第１の領域（Ａ1）と、
前記第２の１／４円内の空間である第２の領域（Ａ2）と、
前記第３の１／４円内の空間である第３の領域（Ａ3）と、
前記第４の１／４円内の空間である第４の領域（Ａ4）とからなる、
ことを特徴とする、請求項１または２記載のコイル状ハンガー。
【請求項６】
前記コイル状ハンガー（６０）を４５度だけ回転させて、該回転させたコイル状ハンガーの上端に前記メッセンジャーワイヤが通されることを特徴とする、請求項５記載のコイル状ハンガー。
【請求項７】
前記素線が、前記メッセンジャーワイヤの架設方向に沿って見ると前記コイル状ハンガー（７０）内の空間を上方向、左斜め上方向、下方向および右斜め上方向に４分割して上側４分割円（ｐｂｃ）、左側４分割円（ｐｃａ）、下側４分割円（ｐａｄ）および右側４分割円（ｐｄｂ）を作るように、コイル状に巻かれており、
前記複数の領域が、
前記上側４分割円内の空間である第１の領域（Ａ1）と、
前記左側４分割円内の空間である第２の領域（Ａ2）と、
前記下側４分割円の空間である第３の領域（Ａ3）と、
前記右側４分割円内の空間である第４の領域（Ａ4）とからなる、
ことを特徴とする、請求項１または２記載のコイル状ハンガー。
【請求項８】
支持物間に架設されたメッセンジャーワイヤ（２０）に敷設して複数本のケーブル（３１，３２）を一束化するために用いられるコイル状ハンガー（１０）を該コイル状ハンガーの素線（１）をコイル状に巻いて製造するためのコイル状ハンガー製造方法であって、
前記素線を前記コイル状ハンガーの下端点（ａ）から該コイル状ハンガーの中心点（ｏ）を通らせて該コイル状ハンガーの上端点（ｂ）まで直線的に延ばしたのちに前記下端点（ａ）を通らせて１回だけ巻く第１の工程と、
前記素線を前記上端点（ｂ）から前記下端点（ａ）を通らせて前記第１の工程と同じ回りで前記第１の工程と逆の回りで１回だけ巻く第２の工程と、
前記素線を前記上端点（ｂ）から前記中心点（ｏ）を通らせて前記下端点（ａ）まで直線的に延ばしたのちに前記上端点（ｂ）を通らせて１回だけ巻く第３の工程と、
前記素線を前記下端点（ａ）から前記上端点（ｂ）を通らせて前記第１の工程と逆の回りで１回だけ巻く第４の工程と、
を具備することを特徴とする、コイル状ハンガー製造方法。
【請求項９】
支持物間に架設されたメッセンジャーワイヤ（２０）に敷設して複数本のケーブル（３１，３２）を一束化するために用いられるコイル状ハンガーを該コイル状ハンガーの素線（１）をコイル状に巻いて製造するためのコイル状ハンガー製造方法であって、
前記素線を前記コイル状ハンガーの下端点（ａ）から該コイル状ハンガーの中心点（ｏ）を通らせて該コイル状ハンガーの上端点（ｂ）まで直線的に延ばしたのちに前記下端点（ａ）まで半周だけ巻く第１の工程と、
前記素線を前記下端点（ａ）から前記上端点（ｂ）まで前記第１の工程と同じ回りで半周だけ巻いたのちに該上端点（ｂ）から前記中心点（ｏ）を通らせて前記下端点（ａ）まで直線的に延ばす第２の工程と、
前記素線を前記下端点（ａ）から前記上端点（ｂ）まで前記第１の工程と逆の回りで半周だけ巻いたのちに該上端点（ｂ）から前記中心点（ｏ）を通らせて前記下端点（ａ）まで直線的に延ばす第３の工程と、
前記素線を前記下端点（ａ）から前記上端点（ｂ）まで前記第１の工程と同じ回りで半周だけ巻いたのちに該上端点（ｂ）から前記中心点（ｏ）を通らせて前記下端点（ａ）まで直線的に延ばす第４の工程と、
を具備することを特徴とする、コイル状ハンガー製造方法。
【請求項１０】
支持物間に架設されたメッセンジャーワイヤ（２０）に敷設して複数本のケーブル（４１〜４４）を一束化するために用いられるコイル状ハンガー（６０）を該コイル状ハンガーの素線（１）をコイル状に巻いて製造するためのコイル状ハンガー製造方法であって、
前記素線を前記コイル状ハンガーの下端点（ａ）から該コイル状ハンガーの中心点（ｏ）を通らせて該コイル状ハンガーの上端点（ｂ）まで直線的に延ばしたのちに該上端点（ｂ）から前記下端点（ａ）と前記上端点（ｂ）との中間の高さの第１の中間点（ｃ）を通らせて前記下端点（ａ）まで半周だけ巻く第１の工程と、
前記素線を前記下端点（ａ）から前記第１の中間点（ｃ）と同じ高さの第２の中間点（ｄ）および前記上端点（ｂ）を通らせて前記第１の中間点（ｃ）まで前記第１の工程と同じ回りで３／４周だけ巻いたのちに該第１の中間点（ｃ）から前記中心点（ｏ）を通らせて前記第２の中間点（ｄ）まで直線的に延ばす第２の工程と、
前記素線を前記第２の中間点（ｄ）から前記上端点（ｂ）および前記第１の中間点（ｃ）を通らせて前記下端点（ａ）まで前記第１の工程と同じ回りで３／４周だけ巻いたのちに該下端点（ａ）から前記中心点（ｏ）を通らせて前記上端点（ｂ）まで直線的に延ばす第３の工程と、
前記素線を前記上端点（ｂ）から前記第２の中間点（ｄ）および前記下端点（ａ）を通らせて前記第１の中間点（ｃ）まで前記第１の工程と逆の回りで３／４周だけ巻いたのちに該第１の中間点（ｃ）から前記中心点（ｏ）を通らせて前記第２の中間点（ｄ）まで直線的に延ばす第４の工程と、
前記素線を前記第２の中間点（ｄ）から前記下端点（ａ）、前記第１の中間点（ｃ）、前記上端点（ｂ）および前記第２の中間点（ｄ）を通らせて前記下端点（ａ）まで前記第１の工程と逆の回りで５／４周だけ巻く第５の工程と、
を具備することを特徴とする、コイル状ハンガー製造方法。
【請求項１１】
支持物間に架設されたメッセンジャーワイヤ（２０）に敷設して複数本のケーブル（５１1〜５１3）を一束化するために用いられるコイル状ハンガー（７０）を該コイル状ハンガーの素線（１）をコイル状に巻いて製造するためのコイル状ハンガー製造方法であって、
前記素線を前記コイル状ハンガーの下端点よりも左側または右側の第１の点（ａ）から交叉点（ｐ）を通らせて前記コイル状ハンガーの上端点よりも右側または左側の第２の点（ｂ）まで直線的に延ばしたのちに該第２の点（ｂ）から前記コイル状ハンガーの前記上端点よりも左側または右側の第３の点（ｃ）を通らせて前記第１の点（ａ）まで半周だけ巻く第１の工程と、
前記素線を前記第１の点（ａ）から前記コイル状ハンガーの前記下端点よりも右側または左側の第４の点（ｄ）および前記第２の点（ｂ）を通らせて前記第３の点（ｃ）まで前記第１の工程と同じ回りで３／４周だけ巻いたのちに該第３の点（ｃ）から前記交叉点（ｐ）を通らせて前記第４の点（ｄ）まで直線的に延ばす第２の工程と、
前記素線を前記第４の点（ｄ）から前記第２の点（ｂ）および前記第３の点（ｃ）を通らせて前記第１の点（ａ）まで前記第１の工程と同じ回りで３／４周だけ巻いたのちに該第１の点（ａ）から前記交叉点（ｐ）を通らせて前記第２の点（ｂ）まで直線的に延ばす第３の工程と、
前記素線を前記第２の点（ｂ）から前記第４の点（ｄ）および前記第１の点（ａ）を通らせて前記第３の点（ｃ）まで前記第１の工程と逆の回りで３／４周だけ巻いたのちに該第３の点（ｃ）から前記交叉点（ｐ）を通らせて前記第４の点（ｄ）まで直線的に延ばす第３の工程と、
前記素線を前記第４の点（ｄ）から前記第１の点（ａ）、前記第３の点（ｃ）、前記第２の点（ｂ）および前記第４の点（ｄ）を通らせて前記第１の点（ａ）まで前記第１の工程と逆の回りで５／４周だけ巻く第５の工程と、
を具備することを特徴とする、コイル状ハンガー製造方法。
【発明の詳細な説明】
【技術分野】
【０００１】
本発明は、コイル状ハンガーおよびコイル状ハンガー製造方法に関し、特に、支持物間に架設されたメッセンジャーワイヤに敷設して複数本のケーブルを一束化するのに好適なコイル状ハンガーおよびコイル状ハンガー製造方法に関する。
【背景技術】
【０００２】
従来、複数本のケーブル（光ファイバケーブル、通信メタルケーブルおよび電力ケーブルなど）を一束化して支持物（電柱など）間に敷設するために、下記の特許文献１などに記載されているスパイラル型ハンガーや下記の特許文献２などに記載されているコイル状ハンガーが用いられている。
また、一束化される複数本のケーブルは、たとえば加入者用光ケーブル、局舎間の中継用光ケーブルおよび光ドロップケーブルのようにその用途が異なる場合や、ケーブル維持管理会社が異なる場合や、架設する複数の線種が同じなので、すぐには判断がつかない場合がある。
【０００３】
なお、本出願人は、下記の特許文献４において、本出願と関連するコイル状ハンガーについて特許出願している。
【特許文献１】特開２００６−１４９１１４号公報
【特許文献２】特開平１１−１９７４１号公報
【特許文献３】特開２００３−３３３７３６号公報
【特許文献４】特願２００６−２１５３９６号
【発明の開示】
【発明が解決しようとする課題】
【０００４】
しかしながら、従来のコイル状ハンガー１００は、図１３に示すように、メッセンジャーワイヤ２０の架設方向（以下、「メッセンジャーワイヤ架設方向」と称する。）に沿って見たときにコイル状ハンガー１００の開口面１１１が円となるように素線１０１（たとえば、上記の特許文献３に記載されているような合成樹脂からなる太物単線や撚り線などの線状材）を複数回コイル状に巻いて製造されているため、コイル状ハンガー１００によって一束化されている第１乃至第３のケーブル１３１1〜１３１3がどの用途またはどのケーブル維持管理会社のものであるのかを容易に判別することができないという問題があった。
このような問題を解決する方法として、第１乃至第３のケーブル１３１1〜１３１3にその用途などを表示した表示札を取り付けておく方法が考えられるが、表示札が劣化したり表示札の取付けを忘れたりすると、第１乃至第３のケーブル１３１1〜１３１3の用途などを判別することができなくなるという問題がある。
【０００５】
本発明の目的は、複数本のケーブルを容易に識別可能に一束化することができるコイル状ハンガーおよびコイル状ハンガー製造方法を提供することにある。
【課題を解決するための手段】
【０００６】
本発明のコイル状ハンガーは、支持物間に架設されたメッセンジャーワイヤ（２０）に敷設して複数本のケーブル（３１，３２；４１〜４４；５１1〜５１3）を一束化するために用いられるコイル状ハンガー（１０，６０，７０）であって、前記メッセンジャーワイヤの架設方向に沿って見ると、前記コイル状ハンガー内の空間が、該コイル状ハンガー内の空間を直線的に横切る該コイル状ハンガーの素線（１）によって複数の領域（Ａ1〜Ａ4）に分割されていることを特徴とする。
ここで、前記複数の領域の数が“２”または“４”であってもよい。
前記素線が、前記コイル状ハンガー（１０）内の空間を規定する円と、前記メッセンジャーワイヤの架設方向に沿って見ると該円が垂直方向に２分割された右側半円および左側半円とを作るように、コイル状に巻かれており、前記複数の領域が、前記右側半円内の空間である第１の領域（Ａ1）と、前記左側半円内の空間である第２の領域（Ａ2）とからなってもよい。
前記素線が、前記メッセンジャーワイヤの架設方向に沿って見ると前記コイル状ハンガー（１０）が垂直方向に２分割された右側半円および左側半円を交互に作るように、コイル状に巻かれており、前記複数の領域が、前記右側半円内の空間である第１の領域（Ａ1）と、前記左側半円内の空間である第２の領域（Ａ2）とからなってもよい。
前記素線が、前記メッセンジャーワイヤの架設方向に沿って見ると前記コイル状ハンガー（６０）内の空間を垂直方向に２分割するとともに水平方向に２分割して第１乃至第４の１／４円（ｏｄｂ，ｏｂｃ，ｏｃａ，ｏａｄ）を作るように、コイル状に巻かれており、前記複数の領域が、前記第１の１／４円内の空間である第１の領域（Ａ1）と、前記第２の１／４円内の空間である第２の領域（Ａ2）と、前記第３の１／４円内の空間である第３の領域（Ａ3）と、前記第４の１／４円内の空間である第４の領域（Ａ4）とからなってもよい。
前記コイル状ハンガー（６０）を４５度だけ回転させて、該回転させたコイル状ハンガーの上端に前記メッセンジャーワイヤが通されてもよい。
前記素線が、前記メッセンジャーワイヤの架設方向に沿って見ると前記コイル状ハンガー（７０）内の空間を上方向、左斜め上方向、下方向および右斜め上方向に４分割して上側４分割円（ｐｂｃ）、左側４分割円（ｐｃａ）、下側４分割円（ｐａｄ）および右側４分割円（ｐｄｂ）を作るように、コイル状に巻かれており、前記複数の領域が、前記上側４分割円内の空間である第１の領域（Ａ1）と、前記左側４分割円内の空間である第２の領域（Ａ2）と、前記下側４分割円の空間である第３の領域（Ａ3）と、前記右側４分割円内の空間である第４の領域（Ａ4）とからなってもよい。
【０００７】
本発明のコイル状ハンガー製造方法は、支持物間に架設されたメッセンジャーワイヤ（２０）に敷設して複数本のケーブル（３１，３２）を一束化するために用いられるコイル状ハンガー（１０）を該コイル状ハンガーの素線（１）をコイル状に巻いて製造するためのコイル状ハンガー製造方法であって、前記素線を前記コイル状ハンガーの下端点（ａ）から該コイル状ハンガーの中心点（ｏ）を通らせて該コイル状ハンガーの上端点（ｂ）まで直線的に延ばしたのちに前記下端点（ａ）を通らせて１回だけ巻く第１の工程と、前記素線を前記上端点（ｂ）から前記下端点（ａ）を通らせて前記第１の工程と同じ回りで１回だけ巻く第２の工程と、前記素線を前記上端点（ｂ）から前記中心点（ｏ）を通らせて前記下端点（ａ）まで直線的に延ばしたのちに前記上端点（ｂ）を通らせて前記第１の工程と逆の回りで１回だけ巻く第３の工程と、前記素線を前記下端点（ａ）から前記上端点（ｂ）を通らせて前記第１の工程と逆の回りで１回だけ巻く第４の工程とを具備することを特徴とする。
また、本発明のコイル状ハンガー製造方法は、支持物間に架設されたメッセンジャーワイヤ（２０）に敷設して複数本のケーブル（３１，３２）を一束化するために用いられるコイル状ハンガーを該コイル状ハンガーの素線（１）をコイル状に巻いて製造するためのコイル状ハンガー製造方法であって、前記素線を前記コイル状ハンガーの下端点（ａ）から該コイル状ハンガーの中心点（ｏ）を通らせて該コイル状ハンガーの上端点（ｂ）まで直線的に延ばしたのちに前記下端点（ａ）まで半周だけ巻く第１の工程と、前記素線を前記下端点（ａ）から前記上端点（ｂ）まで前記第１の工程と同じ回りで半周だけ巻いたのちに該上端点（ｂ）から前記中心点（ｏ）を通らせて前記下端点（ａ）まで直線的に延ばす第２の工程と、前記素線を前記下端点（ａ）から前記上端点（ｂ）まで前記第１の工程と逆の回りで半周だけ巻いたのちに該上端点（ｂ）から前記中心点（ｏ）を通らせて前記下端点（ａ）まで直線的に延ばす第３の工程と、前記素線を前記下端点（ａ）から前記上端点（ｂ）まで前記第１の工程と同じ回りで半周だけ巻いたのちに該上端点（ｂ）から前記中心点（ｏ）を通らせて前記下端点（ａ）まで直線的に延ばす第４の工程とを具備することを特徴とする。
さらに、本発明のコイル状ハンガー製造方法は、支持物間に架設されたメッセンジャーワイヤ（２０）に敷設して複数本のケーブル（４１〜４４）を一束化するために用いられるコイル状ハンガー（６０）を該コイル状ハンガーの素線（１）をコイル状に巻いて製造するためのコイル状ハンガー製造方法であって、前記素線を前記コイル状ハンガーの下端点（ａ）から該コイル状ハンガーの中心点（ｏ）を通らせて該コイル状ハンガーの上端点（ｂ）まで直線的に延ばしたのちに該上端点（ｂ）から前記下端点（ａ）と前記上端点（ｂ）との中間の高さの第１の中間点（ｃ）を通らせて前記下端点（ａ）まで半周だけ巻く第１の工程と、前記素線を前記下端点（ａ）から前記第１の中間点（ｃ）と同じ高さの第２の中間点（ｄ）および前記上端点（ｂ）を通らせて前記第１の中間点（ｃ）まで前記第１の工程と同じ回りで３／４周だけ巻いたのちに該第１の中間点（ｃ）から前記中心点（ｏ）を通らせて前記第２の中間点（ｄ）まで直線的に延ばす第２の工程と、前記素線を前記第２の中間点（ｄ）から前記上端点（ｂ）および前記第１の中間点（ｃ）を通らせて前記下端点（ａ）まで前記第１の工程と同じ回りで３／４周だけ巻いたのちに該下端点（ａ）から前記中心点（ｏ）を通らせて前記上端点（ｂ）まで直線的に延ばす第３の工程と、前記素線を前記上端点（ｂ）から前記第２の中間点（ｄ）および前記下端点（ａ）を通らせて前記第１の中間点（ｃ）まで前記第１の工程と逆の回りで３／４周だけ巻いたのちに該第１の中間点（ｃ）から前記中心点（ｏ）を通らせて前記第２の中間点（ｄ）まで直線的に延ばす第４の工程と、前記素線を前記第２の中間点（ｄ）から前記下端点（ａ）、前記第１の中間点（ｃ）、前記上端点（ｂ）および前記第２の中間点（ｄ）を通らせて前記下端点（ａ）まで前記第１の工程と逆の回りで５／４周だけ巻く第５の工程とを具備することを特徴とする。
さらにまた、本発明のコイル状ハンガー製造方法は、支持物間に架設されたメッセンジャーワイヤ（２０）に敷設して複数本のケーブル（５１1〜５１3）を一束化するために用いられるコイル状ハンガー（７０）を該コイル状ハンガーの素線（１）をコイル状に巻いて製造するためのコイル状ハンガー製造方法であって、前記素線を前記コイル状ハンガーの下端点よりも左側または右側の第１の点（ａ）から交叉点（ｐ）を通らせて前記コイル状ハンガーの上端点よりも右側または左側の第２の点（ｂ）まで直線的に延ばしたのちに該第２の点（ｂ）から前記コイル状ハンガーの前記上端点よりも左側または右側の第３の点（ｃ）を通らせて前記第１の点（ａ）まで半周だけ巻く第１の工程と、前記素線を前記第１の点（ａ）から前記コイル状ハンガーの前記下端点よりも右側または左側の第４の点（ｄ）および前記第２の点（ｂ）を通らせて前記第３の点（ｃ）まで前記第１の工程と同じ回りで３／４周だけ巻いたのちに該第３の点（ｃ）から前記交叉点（ｐ）を通らせて前記第４の点（ｄ）まで直線的に延ばす第２の工程と、前記素線を前記第４の点（ｄ）から前記第２の点（ｂ）および前記第３の点（ｃ）を通らせて前記第１の点（ａ）まで前記第１の工程と同じ回りで３／４周だけ巻いたのちに該第１の点（ａ）から前記交叉点（ｐ）を通らせて前記第２の点（ｂ）まで直線的に延ばす第３の工程と、前記素線を前記第２の点（ｂ）から前記第４の点（ｄ）および前記第１の点（ａ）を通らせて前記第３の点（ｃ）まで前記第１の工程と逆の回りで３／４周だけ巻いたのちに該第３の点（ｃ）から前記交叉点（ｐ）を通らせて前記第４の点（ｄ）まで直線的に延ばす第３の工程と、前記素線を前記第４の点（ｄ）から前記第１の点（ａ）、前記第３の点（ｃ）、前記第２の点（ｂ）および前記第４の点（ｄ）を通らせて前記第１の点（ａ）まで前記第１の工程と逆の回りで５／４周だけ巻く第５の工程とを具備することを特徴とする。
【発明の効果】
【０００８】
本発明のコイル状ハンガーおよびコイル状ハンガー製造方法は、以下に示す効果を奏する。
（１）コイル状ハンガーをメッセンジャーワイヤ架設方向に沿って見たときにコイル状ハンガー内の空間がこの空間を直線的に横切るコイル状ハンガーの素線によって複数の領域に分割されているので、複数本のケーブルを領域ごとに敷設することにより、複数本のケーブルを容易に識別可能に一束化することができる。
（２）コイル状ハンガーの素線によって分割された複数の領域にケーブル識別機能を持たせることによりケーブルの取付けを容易に行うことができるので、ケーブル取付工事の作業効率を向上させることができる。
【発明を実施するための最良の形態】
【０００９】
上記の目的を、メッセンジャーワイヤの架設方向に沿って見たときにコイル状ハンガー内の空間をこの空間を直線的に横切るコイル状ハンガーの素線によって複数の領域に分割することにより実現した。
【実施例１】
【００１０】
以下、本発明のコイル状ハンガーおよびコイル状ハンガー製造方法の実施例について、図面を参照して説明する。
本発明の第１の実施例によるコイル状ハンガー１０は、図１に示すように、メッセンジャーワイヤ架設方向（コイル状ハンガー１０の開口面１１に垂直な方向）に沿って見ると、コイル状ハンガー１０内の空間が、コイル状ハンガー１０内の空間を垂直方向に直線的に横切るコイル状ハンガー１０の素線１によって左右２つの領域（第１および第２の領域Ａ1，Ａ2）に分割されている点で、図１３に示した従来のコイル状ハンガー１００と異なる。
【００１１】
すなわち、以下に説明するように外円を挟んで右側半円（第１の領域Ａ1を構成する。）および左側半円（第２の領域Ａ2を構成する。）を作るように素線１をコイル状に巻いてコイル状ハンガー１０を製造することにより、メッセンジャーワイヤ架設方向に沿って見るとコイル状ハンガー１０内の空間が素線１によって第１および第２の領域Ａ1，Ａ2に分割されている。
【００１２】
まず、図２（ａ）に示すように、コイル状ハンガー１０の素線１を点ａ（コイル状ハンガー１０の下端点）から中心点ｏを通らせて点ｂ（コイル状ハンガー１０の上端点）まで直線的に延ばしたのちに点ａを通らせて反時計回りに１回だけ巻いて、直径Ｌの第１の円を作る。なお、直径Ｌ（点ａと点ｂとの間の距離）は好ましくは６ｃｍ以下とする。これにより、第１の円はメッセンジャーワイヤ架設方向に沿って見ると２つの半円に分かれているように見えるため、第１の円内に第１の左側半円と第１の右側半円とが作られる。
なお、第１の円内の面（第１の左側半円および第１の右側半円を併せた面）がコイル状ハンガー１０の開口面１１となる。
【００１３】
続いて、図２（ｂ）に示すように、素線１を点ｂから点ａを通らせて反時計回りに１回だけ第１の円よりも紙面の奥に巻いて、直径Ｌの第２の円を作る。これにより、第２の円はメッセンジャーワイヤ架設方向に沿って見ると２つの半円に分かれているように見えるため、第２の円内に第２の左側半円と第２の右側半円とが作られる。
【００１４】
続いて、図２（ｃ）に示すように、素線１を点ｂから中心点ｏを通らせて点ａまで直線的に延ばしたのちに点ｂを通らせて時計回りに１回だけ第２の円よりも紙面の奥に巻いて、直径Ｌの第３の円を作る。これにより、第３の円はメッセンジャーワイヤ架設方向に沿って見ると２つの半円に分かれているように見えるため、第３の円内に第３の左側半円と第３の右側半円とが作られる。
【００１５】
続いて、図２（ｄ）に示すように、素線１を点ａから点ｂを通らせて時計回りに１回だけ第３の円よりも紙面の奥に巻いて、直径Ｌの第４の円を作る。これにより、第４の円はメッセンジャーワイヤ架設方向に沿って見ると２つの半円に分かれているように見えるため、第４の円内に第４の左側半円と第４の右側半円とが作られる。
【００１６】
以降、図２（ａ）から図２（ｄ）に示した工程を繰り返す。
これにより、メッセンジャーワイヤ架設方向に沿って見ると、コイル状ハンガー１０内の空間が、コイル状ハンガー１０内の空間を垂直方向に直線的に横切る素線１によって第１および第２の領域Ａ1，Ａ2に分割される。
【００１７】
以上説明したように、コイル状ハンガー１０はメッセンジャーワイヤ架設方向に沿って見るとコイル状ハンガー１０内の空間が第１および第２の領域Ａ1，Ａ2に分割されているため、図３および図４に示すように、支持物間に架設されたメッセンジャーワイヤ２０を第１および第２の領域Ａ1，Ａ2に通してコイル状ハンガー１０をメッセンジャーワイヤ２０に敷設したのち、加入者用光ケーブル３１を第１の領域Ａ1に通すとともに中継用光ケーブル３２を第２の領域Ａ2に通すことにより、ケーブルを用途別に一束化することができる。
【００１８】
また、以下に示すように各種ケーブルをコイル状ハンガー１０の第１および第２の領域Ａ1，Ａ2に通すことにより、ケーブルを会社別、架設年別、心線別および性質別に一束化することができる。
（１）Ａ社用ケーブルを第１の領域Ａ1に通すとともにＢ社用ケーブルを第２の領域Ａ2に通すことにより、ケーブルを会社別に一束化することができる。
（２）○○年に架設した第１の光ケーブルを第１の領域Ａ1に通すとともに△△年に架設した第２の光ケーブルを第２の領域Ａ2に通すことにより、光ケーブルを架設年別に一束化することができる。
（３）Ｘ心光ケーブルを第１の領域Ａ1に通すとともにＹ心光ケーブルを第２の領域Ａ2に通すことにより、光ケーブルを心線別に一束化することができる。また、領域を管理することにより、同一心線の光ケーブルでも区別することができる。
（４）通信メタルケーブルを第１の領域Ａ1に通すとともに電力ケーブルを第２の領域Ａ2に通すことにより、光ケーブルを性質別に一束化して、一束化しながらも性質の異なるケーブルを区別することができる。
【００１９】
以上の説明では、図２（ｂ），（ｄ）に示した工程において第２および第４の円をそれぞれ作ったが、第２および第４の円は作らなくてもよい。
この場合には、図５（ａ）に示すように、素線１を点ａ（コイル状ハンガーの下端点）から中心点ｏを通らせて点ｂ（コイル状ハンガーの上端点）まで直線的に延ばしたのちに点ａまで反時計回りに半周だけ巻いて、直径Ｌの第１の左側半円を作る。
続いて、同図（ｂ）に示すように、素線１を点ａから点ｂまで反時計回りに半周だけ巻いたのちに点ｂから中心点ｏを通らせて点ａまで直線的に延ばして、直径Ｌの第１の右側半円を作る。
続いて、同図（ｃ）に示すように、素線１を点ａから点ｂまで時計回りに半周だけ第１の左側半円よりも紙面の奥に巻いたのちに点ｂから中心点ｏを通らせて点ａまで直線的に延ばして、直径Ｌの第２の左側半円を作る。
続いて、同図（ｄ）に示すように、素線１を点ａから点ｂまで反時計回りに半周だけ第１の右側半円よりも紙面の奥に巻いたのちに点ｂから中心点ｏを通らせて点ａまで直線的に延ばして、直径Ｌの第２の右側半円を作る。
以降、同図（ｃ），（ｄ）の工程を繰り返す。
【実施例２】
【００２０】
次に、本発明の第２の実施例によるコイル状ハンガー６０について、図６乃至図９を参照して説明する。
本実施例によるコイル状ハンガー６０は、図６に示すように、メッセンジャーワイヤ架設方向（コイル状ハンガー６０の開口面６１に垂直な方向）に沿って見ると、コイル状ハンガー６０内の空間が、コイル状ハンガー６０内の空間を垂直方向および水平方向に直線的に横切るコイル状ハンガー６０の素線１によって上下左右４つの領域（第１乃至第４の領域Ａ1〜Ａ4）に分割されている点で、図１３に示した従来のコイル状ハンガー１００と異なる。
【００２１】
すなわち、以下に説明するように右上側１／４円（第１の領域Ａ1を構成する。）、左上側１／４円（第２の領域Ａ2を構成する。）、左下側１／４円（第３の領域Ａ3を構成する。）および右下側１／４円（第４の領域Ａ4を構成する。）を作るように素線１をコイル状に巻いてコイル状ハンガー６０を製造することにより、メッセンジャーワイヤ架設方向に沿って見るとコイル状ハンガー６０内の空間が素線１によって第１乃至第４の領域Ａ1〜Ａ4に分割されている。
【００２２】
まず、図７（ａ）に示すように、コイル状ハンガー６０の素線１を点ａ（コイル状ハンガー６０の下端点）から中心点ｏを通らせて点ｂ（コイル状ハンガー６０の上端点）まで直線的に延ばしたのちに点ｂから点ｃ（点ａと点ｂとの中間の高さの第１の中間点）を通らせて点ａまで反時計回りに半周だけ巻いて、直径Ｌの第１の左側半円を作る。なお、直径Ｌ（点ａと点ｂとの間の距離）は好ましくは６ｃｍ以下とする。
【００２３】
続いて、図７（ｂ）に示すように、素線１を点ａから点ｄ（点ｃと同じ高さの第２の中間点）および点ｂを通らせて点ｃまで反時計回りに３／４周だけ第１の左側半円よりも紙面の奥に巻いたのちに点ｃから中心点ｏを通らせて点ｄまで直線的に延ばして、第１の上側半円を作る。これにより、図７（ａ），（ｂ）に丸数字で示すように第１の左上側１／４円ｏｂｃ、第１の左下側１／４円ｏｃａ、第１の右下側１／４円ｏａｄ、第１の右上側１／４円ｏｄｂおよび第２の左上側１／４円ｏｂｃが作られる。
【００２４】
続いて、図７（ｃ）に示すように、素線１を点ｄから点ｂおよび点ｃを通らせて点ａまで反時計回りに３／４周だけ第１の上側半円よりも紙面の奥に巻いたのちに点ａから中心点ｏを通らせて点ｂまで直線的に延ばして、第２の左側半円を作る。これにより、図７（ｃ）に丸数字で示すように第２の右上側１／４円ｏｄｂ、第３の左上側１／４円ｏｂｃおよび第２の左下側１／４円ｏｃａが作られる。
【００２５】
続いて、図７（ｄ）に示すように、素線１を点ｂから点ｄおよび点ａを通らせて点ｃまで時計回りに３／４周だけ第２の左側半円よりも紙面の奥に巻いたのちに点ｃから中心点ｏを通らせて点ｄまで直線的に延ばして、第１の下側半円を作る。これにより、図７（ｄ）に丸数字で示すように第３の右上側１／４円ｏｄｂ、第２の右下側１／４円ｏａｄおよび第３の左下側１／４円ｏｃａが作られる。
【００２６】
続いて、図７（ｅ）に示すように、素線１を点ｄから点ａ、点ｃ、点ｂおよび点ｄを通らせて点ａまで反時計回りに５／４周だけ第１の下側半円よりも紙面の奥に巻いて、第１の円を作る。これにより、図７（ｅ）に丸数字で示すように第３の右下側１／４円ｏａｄ、第４の左下側１／４円ｏｃａ、第４の左上側１／４円ｏｂｃ、第４の右上側１／４円ｏｄｂおよび第４の右下側１／４円ｏａｄが作られる。
【００２７】
以降、図７（ａ）に示した工程から同図（ｅ）に示した工程を繰り返す。
これにより、メッセンジャーワイヤ架設方向に沿って見ると、コイル状ハンガー６０内の空間が、コイル状ハンガー６０内の空間を垂直方向および水平方向に直線的に横切る素線１によって第１乃至第４の領域Ａ1〜Ａ4に分割される。
【００２８】
以上説明したように、コイル状ハンガー６０はメッセンジャーワイヤ架設方向に沿って見るとコイル状ハンガー１０内の空間が第１乃至第４の領域Ａ1〜Ａ4に分割されているため、ケーブルを会社別、架設年別、心線別および性質別に一束化することができる。
図８にケーブルを会社別に一束化した一例を示す。この例では、支持物間に架設されたメッセンジャーワイヤ２０を第１および第２の領域Ａ1，Ａ2に通してコイル状ハンガー６０をメッセンジャーワイヤ２０に敷設したのち、Ａ社用ケーブル４１を第１の領域Ａ1に通し、Ｂ社用ケーブル４２を第２の領域Ａ2に通し、Ｃ社用ケーブル４３を第３の領域Ａ3に通すとともに、Ｄ社用ケーブル４４を第４の領域Ａ4に通している。
【００２９】
なお、この場合には、メッセンジャーワイヤ２０を第１および第２の領域Ａ1，Ａ2に通す際に素線１をずらす必要がある。そこで、図９に示すようにコイル状ハンガー６０を４５度だけ反時計回りに回転させて、回転させたコイル状ハンガー６０の上端（第１の領域Ａ1の周方向の中心）にメッセンジャーワイヤ２０を通すようにしてもよい。
【００３０】
また、図９に示したコイル状ハンガー６０ではメッセンジャーワイヤ２０をしっかりと固定することはできないため、図１０に示すコイル状ハンガー７０のように、第１の領域Ａ1のメッセンジャーワイヤ架設方向（コイル状ハンガー７０の開口面７１に垂直な方向）に沿って見た面積を小さくしてメッセンジャーワイヤ２０をしっかりと固定することができるようにしてもよい。
【００３１】
コイル状ハンガー７０では、メッセンジャーワイヤ架設方向に沿って見ると、コイル状ハンガー７０の上端点と下端点とを結ぶ線上の中心点ｏよりも上の交叉点ｐで交叉するようにコイル状ハンガー７０内を直線状に延ばされた素線１によってコイル状ハンガー７０内の空間が上下左右４つの領域（第１乃至第４の領域Ａ1〜Ａ4）に分割されている。
【００３２】
すなわち、以下に説明するように上側４分割円（第１の領域Ａ1を構成する。）、左側４分割円（第２の領域Ａ2を構成する。）、下側４分割円（第３の領域Ａ3を構成する。）および右側４分割円（第４の領域Ａ4を構成する。）を作るように素線１をコイル状に巻いてコイル状ハンガー７０を製造することにより、メッセンジャーワイヤ架設方向に沿って見ると、コイル状ハンガー７０内の空間が、コイル状ハンガー７０内の空間を交叉点ｐで交叉して直線的に横切るコイル状ハンガー１０の素線１によって第１乃至第４の領域Ａ1〜Ａ4に分割されている。
【００３３】
まず、図１１（ａ）に示すように、コイル状ハンガー７０の素線１を点ａ（コイル状ハンガー７０の下端点よりも左側の点）から交叉点ｐを通らせて点ｂ（コイル状ハンガー７０の上端点よりも右側の点）まで直線的に延ばしたのちに点ｂから点ｃ（コイル状ハンガー７０の上端点よりも左側の点）を通らせて点ａまで反時計回りに半周だけ巻いて、第１の左斜め部分円を作る。
なお、コイル状ハンガー７０の直径Ｌ（コイル状ハンガー７０の上端点から下端点までの距離）は好ましくは６ｃｍ以下とする。
【００３４】
続いて、図１１（ｂ）に示すように、素線１を点ａから点ｄ（コイル状ハンガー７０の下端点よりも右側の点）および点ｂを通らせて点ｃまで反時計回りに３／４周だけ第１の左斜め部分円よりも紙面の奥に巻いたのちに点ｃから交叉点ｐを通らせて点ｄまで直線的に延ばして、第１の右斜め部分円を作る。これにより、図１１（ａ），（ｂ）に丸数字で示すように第１の上側４分割円ｐｂｃ、第１の左側４分割円ｐｃａ、第１の下側４分割円ｐａｄ、第１の右側４分割円ｐｄｂおよび第２の上側４分割円ｐｃａが作られる。
【００３５】
続いて、図１１（ｃ）に示すように、素線１を点ｄから点ｂおよび点ｃを通らせて点ａまで反時計回りに３／４周だけ第１の左斜め部分円よりも紙面の奥に巻いたのちに点ａから交叉点ｐを通らせて点ｂまで直線的に延ばして、第２の左斜め部分円を作る。これにより、図１１（ｃ）に丸数字で示すように第２の右側４分割円ｐｄｂ、第３の上側４分割円ｐｂｃおよび第２の左側４分割円ｐｃａが作られる。
【００３６】
続いて、図１１（ｄ）に示すように、素線１を点ｂから点ｄおよび点ａを通らせて点ｃまで時計回りに３／４周だけ第２の左斜め部分円よりも紙面の奥に巻いたのちに点ｃから交叉点ｐを通らせて点ｄまで直線的に延ばして、第２の右斜め部分円を作る。これにより、図１１（ｄ）に丸数字で示すように第３の右側４分割円ｐｄｂ、第２の下側４分割円ｐａｄおよび第３の左側４分割円ｐｃａが作られる。
【００３７】
続いて、図１１（ｅ）に示すように、素線１を点ｄから点ａ、点ｃ、点ｂおよび点ｄを通らせて点ａまで時計回りに５／４周だけ第２の右斜め部分円よりも紙面の奥に巻いて、第１の円を作る。これにより、図１１（ｅ）に丸数字で示すように第３の下側４分割円ｐａｄ、第４の左側４分割円ｐｃａ、第４の上側４分割円ｐｂｃ、第４の右側４分割円ｐｄｂおよび第４の下側４分割円ｐａｄが作られる。
【００３８】
以降、図１１（ａ）に示した工程から同図（ｅ）に示した工程を繰り返す。
これにより、メッセンジャーワイヤ架設方向に沿って見ると、コイル状ハンガー７０内の空間が、コイル状ハンガー７０内の空間を交叉点ｐで交叉して直線的に横切る素線１によって第１乃至第４の領域Ａ1〜Ａ4に分割される。
【００３９】
以上説明したように、コイル状ハンガー７０はメッセンジャーワイヤ架設方向に沿って見るとコイル状ハンガー７０内の空間が第１乃至第４の領域Ａ1〜Ａ4に分割されているため、ケーブルを会社別、架設年別、心線別および性質別に一束化することができる。
図１２にケーブルを性質別に一束化した一例を示す。この例では、支持物間に架設されたメッセンジャーワイヤ２０を第１の領域Ａ1に通してコイル状ハンガー７０をメッセンジャーワイヤ２０に敷設したのち、第１の光ケーブル５１1を第２の領域Ａ2に通し、第２の光ケーブル５１2を第３の領域Ａ3に通すとともに、第３の光ケーブル５１3を第４の領域Ａ4に通している。
【００４０】
また、図１２に示した例では、第１乃至第３の光ケーブル５１1〜５１3とメッセンジャーワイヤ２０との間に素線１を介在させることができるので、メッセンジャーワイヤ２０から第１乃至第３の光ケーブル５１1〜５１3を保護することができる。
【００４１】
以上の説明において、素線１を巻く方向は反対（反時計回りを時計回りにするとともに時計回りを反時計回り）にしてもよい。
また、コイル状ハンガー１０，６０，７０の上下左右同じ回数だけ素線１が巻かれるように素線１を巻く方向を決めたが、これに限定されない。
【図面の簡単な説明】
【００４２】
【図１】本発明の第１の実施例によるコイル状ハンガー１０の構成を説明するための図である。
【図２】図１に示したコイル状ハンガー１０の製造方法を説明するための図である。
【図３】図１に示したコイル状ハンガー１０を用いてケーブルを用途別に一束化した一例を示す図である。
【図４】図１に示したコイル状ハンガー１０を用いてケーブルを用途別に一束化した一例を示す図である。
【図５】図２（ｂ），（ｄ）に示した工程における第２および第４の外円を作らない場合のコイル状ハンガーの製造方法を説明するための図である。
【図６】本発明の第２の実施例によるコイル状ハンガー６０の構成を説明するための図である。
【図７】図６に示したコイル状ハンガー６０の製造方法を説明するための図である。
【図８】図６に示したコイル状ハンガー６０を用いてケーブルを会社別に一束化した一例を示す図である。
【図９】図６に示したコイル状ハンガー６０を４５度だけ反時計回りに回転させて使用してケーブルを会社別に一束化した一例を示す図である。
【図１０】メッセンジャーワイヤ２０をしっかりと固定することができるようにしたコイル状ハンガー７０の構成を説明するための図である。
【図１１】図１０に示したコイル状ハンガー７０の製造方法を説明するための図である。
【図１２】図１０に示したコイル状ハンガー７０を用いてケーブルを性質別に一束化した一例を示す図である。
【図１３】従来のコイル状ハンガー１００の構成を説明するための図である。
【符号の説明】
【００４３】
１，１０１  素線
１０，６０，７０，１００  コイル状ハンガー
１１，６１，７１，１１１  開口面
２０  メッセンジャーワイヤ
３１  加入者用光ケーブル
３２  中継用光ケーブル
４１  Ａ社用ケーブル
４２  Ｂ社用ケーブル
４３  Ｃ社用ケーブル
４４  Ｄ社用ケーブル
５１1〜５１3  第１乃至第３の光ケーブル
１３１1〜１３１3  第１乃至第３のケーブル
Ａ1〜Ａ4  第１および第４の領域
ａ，ｂ，ｃ，ｄ  点
ｏ  中心点
ｐ  交叉点
Ｌ  直径
【図１】
2008118836.tif 000003
【図２】
2008118836.tif 000004
【図３】
2008118836.tif 000005
【図４】
2008118836.tif 000006
【図５】
2008118836.tif 000007
【図６】
2008118836.tif 000008
【図７】
2008118836.tif 000009
【図８】
2008118836.tif 000010
【図９】
2008118836.tif 000011
【図１０】
2008118836.tif 000012
【図１１】
2008118836.tif 000013
【図１２】
2008118836.tif 000014
【図１３】
2008118836.tif 000015